(57)【要約】【課題】液晶表示パネルに位置ずれを生じさせることなく液晶表示パネルを安定的に保持すること。【解決手段】ケーシング２の１枚の側壁４Ｂの内側に、この側壁４Ｂの長手方向に延在し、先端に液晶表示パネルをケーシング２の底壁３の方へ付勢する形状に形成された被当接部１１ｄを有する可撓性アームを少なくとも１本配設した。【選択図】      図１
2004151515.tif 000002
【特許請求の範囲】
【請求項１】
長方形状をなす底壁の各辺に側壁を立設してなるケーシングと、このケーシング内に収納されたバックライトユニットと、このバックライトユニットに重積するように前記ケーシング内に収納された液晶表示パネルとを有する液晶表示装置において、
１枚の前記側壁の内側に、この側壁の長手方向に延在し、先端に前記液晶表示パネルを前記底壁方向へ付勢する形状に形成された被当接部を有する可撓性アームを少なくとも１本配設したことを特徴とする液晶表示装置。
【請求項２】
前記可撓性アームが隣接する他の１枚の側壁の内側にも配設され、前記各可撓性アームが、配設された側壁に対向する側壁方向に弾性変形可能な形状のアーム本体を具備していることを特徴とする請求項１に記載の液晶表示装置。
【請求項３】
前記ケーシング内に収納されており前記バックライトユニットを嵌合するためのフレームに前記可撓性アームが形成されていることを特徴とする請求項１または請求項２に記載の液晶表示装置。
【請求項４】
前記可撓性アームの被当接部の上端部には、下方に至るほど半径を減少する円錐台部が形成されていることを特徴とする請求項１ないし請求項３のいずれか１項に記載の液晶表示装置。
【発明の詳細な説明】
【０００１】
【発明の属する技術分野】
本発明はバックライトユニットと液晶表示パネルをケーシング内に収納した液晶表示装置に係り、特に、その液晶表示パネルの固定構造の改良に関する。
【０００２】
【従来の技術】
前述した構成の液晶表示装置において、従来から、液晶表示パネルをケーシング内に固定するための種々の構造が用いられていた。
【０００３】
このような従来の液晶表示装置の一例として、長方形状をなす底壁の各辺に側壁を立設してなるケーシングの１枚の側壁を他の３枚の側壁より高さを低く形成しておき、この低側壁に隣接する両側壁の先端に、この低側壁の近傍に位置し、液晶表示パネルの隣位の２つの上隅部をそれぞれ３方向から保持する保持部が先端部に形成された２個の可撓性フックを配設したものがある（例えば、特許文献１参照）。
【０００４】
そして、このような従来の液晶表示装置によれば、まず、ケーシングにバックライトユニットを収納する。つぎに、両フックを相互に拡開するように撓ませて液晶表示パネルが両フックに衝突しないようにしておきケーシングに液晶表示パネルを収納する。このようにしてケーシングに液晶表示パネルを収納したら、両可撓性フックを自由状態にする。すると、各フックは、その弾性復元力により原形に復し、液晶表示パネルの対応する上隅部を保持部により保持することになる。
このようにして２個の可撓性フックにより液晶表示パネルをケーシング内に保持することができる。
【０００５】
【特許文献１】
特開２００２−２５８２４６号公報  （第３頁、図１−図４）
【０００６】
【発明が解決しようとする課題】
しかしながら、前述した従来の液晶表示装置においては、両可撓性フックが側方から相互に近接して液晶表示パネルの両上隅部を保持するようにしているので、各可撓性フックの保持部が液晶表示パネルの上隅部を被覆する以前に液晶表示パネルに衝突しないように可撓性フックの寸法を正規の寸法より若干大きめに設定しなければならない。
【０００７】
ところで、このように可撓性フックの寸法を正規の寸法より若干大きめにするためには、液晶表示パネルの寸法公差を考慮して寸法を設定する必要がある。
【０００８】
すると、液晶表示パネルの寸法が小さい場合には、両可撓性フックの保持部により液晶表示パネルの両上隅部を保持しても液晶表示パネルおよび可撓性フックの保持部間に微小間隙が生じることがあり、このような場合、液晶表示パネルに微妙な位置ずれの生じるおそれがあった。
【０００９】
本発明は、このような従来のものにおける問題点を克服し、液晶表示パネルに位置ずれを生じさせることなく液晶表示パネルを安定的に保持できるようにした液晶表示装置を提供することを目的としている。
【００１０】
【課題を解決するための手段】
前述した目的を達成するため請求項１に係る本発明の液晶表示装置の特徴は、ケーシングの１枚の側壁の内側に、この側壁の長手方向に延在し、先端に液晶表示パネルをケーシングの底壁方向へ付勢する形状に形成された被当接部を有する可撓性アームを少なくとも１本配設した点にある。そして、このような構成を採用したことにより、液晶表示パネルを可撓性アームの被当接部に当接すると、この被当接部がその形状により液晶表示パネルをケーシングの底壁方向に付勢することができ、液晶表示パネルは安定的に保持される。
【００１１】
請求項２に係る本発明の液晶表示装置の特徴は、可撓性アームが隣接する他の１枚の側壁の内側にも配設され、前記各可撓性アームが、配設された側壁に対向する側壁方向に弾性変形可能な形状のアーム本体を具備している点にある。そして、このような構成を採用したことにより、可撓性アームがその弾性復元力によりその被当接部に当接している液晶表示パネルを可撓性アームが配設されている側壁に対向する他の側壁に圧接させ、液晶表示パネルは、相互に隣接されている２枚の側壁を基準面として浮き上がることなく保持される。
【００１２】
請求項３に係る本発明の液晶表示装置の特徴は、前記ケーシング内に収納されており前記バックライトユニットを嵌合するためのフレームに前記可撓性アームが形成されている点にある。そして、このような構成を採用したことにより、単独に可撓性アームを設ける必要がない。
【００１３】
請求項４に係る本発明の液晶表示装置の特徴は、前記可撓性アームの被当接部の上端部に、下方に至るほど半径を減少する円錐台部が形成されている点にある。そして、このような構成を採用したことにより、円錐台部の周面に沿わせて液晶表示パネルの浮き上がりを確実に防止することができる。
【００１４】
【発明の実施の形態】
図１および図２は本発明本発明に係る液晶表示装置の実施形態を示すものである。
【００１５】
これらの図において、液晶表示装置１は、ほぼ長方形状をなす底壁３と、この底壁３の各辺に立設された４枚の側壁４Ａ，４Ｂ，４Ｃ，４Ｄを備えたケーシング２を有している。このうち、前記側壁４Ｄを除く他の３枚の側壁４Ａ，４Ｂ，４Ｃは、等しい高さに形成されており、残りの１枚の側壁４Ｄは、液晶表示を行うための後述する液晶表示パネル５の２枚の可撓配線板６Ａ，６Ｂのうちの一方の可撓配線板６Ａを外部に導出するため特に中央部を他の側壁４Ａ，４Ｂ，４Ｃより低く形成されている。他方の可撓配線板６Ｂは、側壁４Ｃに形成されている図示しない開口を介して外部に導出されている。
【００１６】
前記ケーシング２内には、前記液晶表示パネル５を照光するためのバックライトユニット７とほぼ等しい厚さを有する樹脂材料からなるフレーム８が前記底壁３に当接するようにして密に嵌合されており、このフレーム８には、前記バックライトユニット７が嵌合される開口９が形成されている。この開口９内に嵌合されるバックライトユニット７からは可撓配線板１０が接続されており、この可撓配線板１０は、前記側壁４Ｃに形成されている図示しない開口を介して外部に導出されている。
【００１７】
前記側壁４Ｂの内側における両隅部の近傍部位の前記フレーム８には、前記フレーム８の上面８ａより上位に位置する２個の可撓性アーム１１，１１が突設されている。各可撓性アーム１１は、前記側壁４Ｂに隣接する他の側壁４Ａ，４Ｃの内側の隅部近傍に基部１１ａが位置しており、この基部１１ａから水平方向に延在する可撓性を有するアーム本体１１ｂには、前記２枚の側壁４Ａ，４Ｂあるいは側壁４Ｃ，４Ｂの接合状態に合わせて中間部位に彎曲部１１ｃが形成されている。さらに、前記彎曲部１１ｃより先端側の前記アーム本体１１ｂは、前記側壁４ｂの長手方向に沿って延在し、このアーム本体１１ｂの先端には、前方に突出する被当接部１１ｄが突設されている。このアーム本体１１ｂは、可撓性アーム１１を配設する側壁４Ｂの対向側壁４Ｄ側へ弾性変形可能とされている。
【００１８】
前記被当接部１１ｄは、全体としてほぼ半円柱状とされており、この被当接部１１ｄの上端には、下向きに半径が減少する円錐台部の一例としての半円錐台部１１ｅが突設されている。前記被当接部１１ｄの全高は、前記液晶表示パネル５の厚さ寸法より若干大きな寸法に形成されている。
【００１９】
なお、２枚の透明基板１２Ａ，１２Ｂ間に液晶が封入されており全体的にほぼ長方形状とされている前記液晶表示パネル５と、この液晶表示パネル５を照光するための前記バックライトユニット７の詳細は省略する。
【００２０】
つぎに、前述した構成からなる本実施形態の作用について説明する。
【００２１】
前記液晶表示パネル５を前記ケーシング２内に保持するには、前記両可撓性アーム１１，１１に対向する液晶表示パネル５の側壁５Ｂを各可撓性アーム１１の被当接部１１ｄを圧接する。すると、可撓性アーム１１のアーム本体１１ｂが前記ケーシング２の側壁４Ｂに近接するように撓むようにして、その被当接部１１ｄとともに後退する。そこで、液晶表示パネル５をバックライトユニット７に重積するようにケーシング２内に完全に収納する。
【００２２】
すると、前記液晶表示パネル５は、その側壁５Ｂの上端が各可撓性アーム１１の被当接部１１ｄの半円錐台部１１ｅの周面に沿って前記ケーシング２の底壁３方向に付勢されるので、液晶表示パネル５の浮き上がりが防止される。また、前記液晶表示パネル５を自由状態にすると、前記各可撓性アーム１１の弾性復元力によりその撓みを解消するように直線状に戻るので、前記液晶表示パネル５は、前記側壁５Ｂの背部の側壁５Ｄがケーシング２の側壁４Ｄに当接して停止することになる。
【００２３】
よって、前記液晶表示パネル５は、前記各可撓性アーム１１の被当接部１１ｄの半円錐台部１１ｅにより浮き上がりが防止されるとともに、液晶表示パネル５の側壁５Ｄの当接するケーシング２の側壁４Ｄが基準面となって、液晶表示パネル５を保持することができる。
【００２４】
以上説明したように本実施形態の液晶表示装置１によれば、液晶表示パネル５を基準面となるケーシング２の側壁４Ｄと各可撓性アーム１１の被当接部１１ｄとの間で弾性的に保持しているので、液晶表示パネルに寸法公差があっても、液晶表示パネル５に位置ずれを生じることなく液晶表示パネル５を安定的に保持することができる。
【００２５】
また、液晶表示パネル５は、その側壁５Ｂの上端が各可撓性アーム１１の被当接部１１ｄの半円錐台部１１ｅの周面に沿って前記ケーシング２の底壁３方向に付勢されるので、液晶表示パネル５の浮き上がりも防止されることになる。
【００２６】
なお、本発明は、前述した実施形態に限定されるものではなく、必要に応じて種々の変更が可能である。例えば、可撓性アームは、１枚の側壁に対応して少なくとも１本設ければよい。また、可撓性アームを、隣接する２枚の側壁の内側に配設して、残りの２枚の側壁の内面をそれぞれ基準面にすれば、より安定的に液晶表示パネルを保持することができる。
【００２７】
【発明の効果】
以上説明したように本発明の液晶表示装置によれば、液晶表示パネルに位置ずれを生じさせることなく液晶表示パネルを安定的に保持することができる。
【００２８】
すなわち、ケーシングの１枚の側壁の内側に、この側壁の長手方向に延在し、先端に液晶表示パネルをケーシングの底壁方向へ付勢する形状に形成された被当接部を有する可撓性アームを少なくとも１本配設したので、液晶表示パネルを可撓性アームの被当接部に当接すると、この被当接部がその形状により液晶表示パネルをケーシングの底壁方向に付勢することができる。したがって、液晶表示パネルに寸法公差があっても、液晶表示パネルに位置ずれを生じることなく液晶表示パネルを安定的に保持することができる。
【００２９】
また、可撓性アームが隣接する他の１枚の側壁の内側にも配設され、前記各可撓性アームが、配設された側壁に対向する側壁方向に弾性変形可能な形状のアーム本体を具備されていれば、可撓性アームがその弾性復元力によりその被当接部に当接している液晶表示パネルを可撓性アームが配設されている側壁に対向する他の側壁に圧接させ、液晶表示パネルを、相互に隣接されている２枚の側壁を基準面として浮き上がることなく保持できるので、液晶表示パネルに位置ずれを生じることなく液晶表示パネルをさらに安定的に保持することができる。
【００３０】
さらに、ケーシング内に収納されておりバックライトユニットを嵌合するためのフレームに可撓性アームが形成されるようにすれば、単独に可撓性アームを設ける必要がなく、部品点数を減少することができる。
【００３１】
さらにまた、可撓性アームの被当接部の上端部に、下方に至るほど半径を減少する円錐台部が形成されている点にある。そして、このような構成を採用したことにより、円錐台部の周面に沿わせて液晶表示パネルの浮き上がりを確実に防止することができ、液晶表示パネルをさらに安定的に保持することができる。
【図面の簡単な説明】
【図１】本発明に係るバックライト装置の実施形態を示す分解斜視図
【図２】図１の可撓性アームの拡大図
【符号の説明】
１  液晶表示装置
２  ケーシング
３  ケーシング２の底壁
４Ａ，４Ｂ，４Ｃ，４Ｄ  ケーシング２の側壁
５  液晶表示パネル
５Ｂ，５Ｄ  液晶表示パネル５の側壁
６Ａ，６Ｂ，１０  可撓配線板
７  バックライトユニット
８  フレーム
９  開口
１１  可撓性アーム
１１ａ  可撓性アーム１１の基部
１１ｂ  可撓性アーム１１のアーム本体
１１ｃ  可撓性アーム１１の彎曲部
１１ｄ  可撓性アーム１１の被当接部
１１ｅ  被当接部１１ｄの半円錐台部
１２Ａ，１２Ｂ  透明基板
【図１】
2004151515.tif 000003
【図２】
2004151515.tif 000004